(57)【要約】【課題】ティルトレバーを誤操作したとき、マストの後側傾動を自動的に防止できる荷役車輛を提供する。【解決手段】連結軸７を介してマスト６を傾動自在に取り付け、マスト側にフォーク１３を昇降自在に設け、マストの傾動を行わせるティルトシリンダー８を設けた。ティルトシリンダーの伸縮作動回路３０を設け、その収縮側回路部３３に開閉弁３９を設けた。マストの後側傾動を検出可能な傾動検出手段４０を設け、傾動検出手段を検出可能状態と非検出状態とに切り換える操作部５０と、ティルトレバー１６を配設した。検出可能状態の傾動検出手段がマストの後側傾動を検出することで開閉弁を閉動させる。誤ってティルトレバーを操作し、ティルトシリンダーの収縮動によりマストが後側に傾動しようとしたとき、後側傾動の開始時に、検出可能状態の傾動検出手段が検出動し、開閉弁を閉動させて収縮側回路部を遮断でき、ティルトシリンダーの収縮動を停止できて、マストがそれ以上に後側に傾動することを自動的に防止できる。【選択図】図１
2006315800.tif 000002
【特許請求の範囲】
【請求項１】
車体側には、横方向の連結軸を介してマストが傾動自在に取り付けられるとともに、このマスト側にはフォークが昇降自在に設けられ、前記マストの傾動を行わせるティルトシリンダーが車体側とマストとの間に設けられ、前記ティルトシリンダーの伸縮作動回路が設けられるとともに、この伸縮作動回路の収縮側回路部には開閉弁が設けられ、前記マストの後側傾動を検出可能な傾動検出手段が設けられ、運転席には、前記傾動検出手段を検出可能状態と非検出状態とに切り換える操作部と、ティルトレバーとが配設され、検出可能状態の傾動検出手段がマストの後側傾動を検出することで開閉弁が閉動されるように構成されていることを特徴とする荷役車輛。
【請求項２】
マストは車幅方向の連結軸を介して前後方向に傾動自在に取り付けられ、前記マストには、昇降自在なリフトブラケットが設けられるとともに、このリフトブラケットにフォークが設けられていることを特徴とする請求項１記載の荷役車輛。
【請求項３】
傾動検出手段は、マスト側の被検出体と車体側の近接スイッチからなり、マストの後側傾動によって被検出体が近接スイッチにより検出されることで、電磁式の開閉弁を閉動させるように構成されていることを特徴とする請求項１または２記載の荷役車輛。
【発明の詳細な説明】
【技術分野】
【０００１】
本発明は、たとえばフォークリフトなど荷役車輛に関するものである。
【背景技術】
【０００２】
従来、この種の荷役車輛としては、次のような構成が提供されている。すなわち、車体とマストとの間に、ティルトシリンダと角度検出器とが設けられ、そしてティルトレバーの操作によりメイン弁を切り換えることで、ティルトシリンダを伸縮させて荷役具を備えたマストを傾動させるように構成されている。その際に、制御器には停止すべき傾斜角度が設定されており、したがって、マストの後傾動を角度検出器により検出し、その検出角度が設定した傾斜角度になったときに電磁開閉弁を閉弁して、マスト（荷役具）の所定の後傾角度を維持するように構成されている（たとえば、特許文献１参照。）。
【特許文献１】特開２００１−１３９２８９号公報（第２−３頁、図１）
【発明の開示】
【発明が解決しようとする課題】
【０００３】
しかし上記した従来構成によると、ティルトレバーを操作したときには、その後傾角度は異なるが、マストを必ず傾動させる構成であり、ティルトレバーを誤操作したときにもマスト（荷役具）が後傾動されることになる。したがって、たとえばコンテナを貨車から荷降ろしするときで、コンテナの下部に差し込んだ荷役具を水平状で上昇させる（水平状で持ち上げる）際に、誤ってティルトレバーを操作したとき、荷役具とともにコンテナが後傾動されることになって、コンテナとともに貨車が後傾動されながら持ち上げられる（こじられる）ことになり、その結果、貨車が脱線する恐れがある。
【０００４】
そこで本発明の請求項１記載の発明は、ティルトレバーを誤操作したとき、マストの後側傾動を自動的に防止し得る荷役車輛を提供することを目的としたものである。
【課題を解決するための手段】
【０００５】
前述した目的を達成するために、本発明の請求項１記載の荷役車輛は、車体側には、横方向の連結軸を介してマストが傾動自在に取り付けられるとともに、このマスト側にはフォークが昇降自在に設けられ、前記マストの傾動を行わせるティルトシリンダーが車体側とマストとの間に設けられ、前記ティルトシリンダーの伸縮作動回路が設けられるとともに、この伸縮作動回路の収縮側回路部には開閉弁が設けられ、前記マストの後側傾動を検出可能な傾動検出手段が設けられ、運転席には、前記傾動検出手段を検出可能状態と非検出状態とに切り換える操作部と、ティルトレバーとが配設され、検出可能状態の傾動検出手段がマストの後側傾動を検出することで開閉弁が閉動されるように構成されていることを特徴としたものである。
【０００６】
したがって請求項１の発明によると、フォークをマストに対して昇降動させることで、所期のフォーク作業を行える。また、操作部の操作によって傾動検出手段を非検出状態に切り換え、開閉弁を開動させて収縮側回路部を連通させた状態で、ティルトレバーを操作してティルトシリンダーを作動することによって、マストを連結軸の周りで後側傾動させ得、以てフォークの姿勢を変化させ得る。そして、たとえば荷降ろし作業時においては、まず操作部の操作によって傾動検出手段を検出可能状態に切り換える。この状態で、フォークを荷の下部に位置させて水平状で上昇させることにより、荷を水平状で持ち上げ得る。このとき傾動検出手段は、マストが垂直姿勢で後側傾動されないことから検出されないことになる。
【０００７】
このような荷降ろし作業時において、誤ってティルトレバーを操作したとき、ティルトシリンダーの収縮動によりマストが後側に傾動しようとする。すると、その後側傾動の開始時に、検出可能状態の傾動検出手段が検出動し、これにより、開閉弁を閉動させて収縮側回路部を遮断させ、以てティルトシリンダーの収縮動を停止させて、マストがそれ以上に後側に傾動することを防止し得る。
【０００８】
また本発明の請求項２記載の荷役車輛は、上記した請求項１記載の構成において、マストは車幅方向の連結軸を介して前後方向に傾動自在に取り付けられ、前記マストには、昇降自在なリフトブラケットが設けられるとともに、このリフトブラケットにフォークが設けられていることを特徴としたものである。
【０００９】
したがって請求項２の発明によると、リフトブラケットを介してフォークをマストに対して昇降動させ得る。また、操作部の操作によって傾動検出手段を非検出状態に切り換え、開閉弁を開動させて収縮側回路部を連通させた状態で、ティルトレバーを操作してティルトシリンダーを作動させることによって、マストを連結軸の周りで後側傾動させ得、以てリフトブラケットを介してフォークの姿勢を変化させ得る。
【００１０】
そして本発明の請求項３記載の荷役車輛は、上記した請求項１または２記載の構成において、傾動検出手段は、マスト側の被検出体と車体側の近接スイッチからなり、マストの後側傾動によって被検出体が近接スイッチにより検出されることで、電磁式の開閉弁を閉動させるように構成されていることを特徴としたものである。
【００１１】
したがって請求項３の発明によると、操作部の操作によって近接スイッチを検出可能状態に切り換えた状態で、フォークを荷の下部に位置させて水平状で上昇させることにより、荷を水平状で持ち上げ得る。このとき傾動検出手段は、マストが垂直姿勢で後側傾動されないことから、被検出体は近接スイッチに検出されないことになる。そして、誤ってティルトレバーを操作したとき、ティルトシリンダーの収縮動によりマストが後側に傾動しようとする。すると、その後側傾動の開始時に、マストとともに後側に移動する被検出体が近接スイッチに対向し、検出可能状態の近接スイッチが検出動する。これにより、電磁式の開閉弁を閉動させて収縮側回路部を遮断し得る。
【発明の効果】
【００１２】
上記した本発明の請求項１によると、フォークをマストに対して昇降動させることで、所期のフォーク作業を行うことができる。また、操作部の操作によって傾動検出手段を非検出状態に切り換え、開閉弁を開動させて収縮側回路部を連通させた状態で、ティルトレバーを操作してティルトシリンダーを作動することによって、マストを連結軸の周りに後側傾動でき、以てフォークの姿勢を変化できる。そして、たとえば荷降ろし作業時においては、まず操作部の操作によって傾動検出手段を検出可能状態に切り換え、この状態で、フォークを荷の下部に位置させて水平状で上昇させることにより、荷を水平状で持ち上げることができる。このとき傾動検出手段は、マストが垂直姿勢で後側傾動されないことから検出されないことになる。
【００１３】
このような荷降ろし作業時において、誤ってティルトレバーを操作したときで、ティルトシリンダーの収縮動によりマストが後側に傾動しようとしたとき、その後側傾動の開始時に、検出可能状態の傾動検出手段が検出動し、これにより、開閉弁を閉動させて収縮側回路部を遮断でき、以てティルトシリンダーの収縮動を停止できて、マストがそれ以上に後側に傾動することを防止できる。すなわち、ティルトレバーを誤操作したとき、マスト（フォーク）の後側傾動を自動的に防止することができる。
【００１４】
また上記した本発明の請求項２によると、リフトブラケットを介してフォークをマストに対して昇降動できる。また、操作部の操作によって傾動検出手段を非検出状態に切り換え、開閉弁を開動させて収縮側回路部を連通させた状態で、ティルトレバーを操作してティルトシリンダーを作動させることによって、マストを連結軸の周りで後側傾動でき、以てリフトブラケットを介してフォークの姿勢を変化できる。
【００１５】
そして上記した本発明の請求項３によると、傾動検出手段は、操作部と近接スイッチとにより構造簡単にして提供できる。
【発明を実施するための最良の形態】
【００１６】
［実施の形態］
以下に、本発明の実施の形態を、カウンタータイプのフォークリフトに採用した状態として、図に基づいて説明する。
【００１７】
フォークリフト（荷役車輌の一例）１は、その車体２の前部に左右一対の前車輪（駆動車輪）３が設けられるとともに、後部に左右一対の後車輪４が設けられ、そして車体２の前部で上方には運転席５が設けられる。前記車体２の前端部には上下方向で伸縮自在なマスト６が、車幅方向（横方向）の連結軸７を介して前後方向に傾動自在に取り付けられるとともに、前後傾動を行わせるティルトシリンダー８が車体２側とマスト６との間に設けられる。
【００１８】
前記マスト６は、連結軸７を介して車体２側に取り付けられた左右一対の外枠９と、この外枠９に案内されて昇降自在な左右一対の内枠１０とからなり、外枠９と内枠１０との間にリフトシリンダー１１が設けられている。また、内枠１０側に案内されて昇降自在なリフトブラケット１２が設けられるとともに、このリフトブラケット１２に上下一対のフィンガーバを介して、左右一対のフォーク１３が設けられている。前記運転席５には、座席１４や、この座席１４の前方に位置されるハンドル１５、ティルトレバー１６などが配設され、そして上方にはヘッドガード１７が配設されている。さらに座席１４の後方で車体２上にはカウンターウエイト１８が設けられ、また車体２側にはエンジン１９が設けられている。
【００１９】
前記ティルトシリンダー８のシリンダー本体８Ａは、横方向ピン２１などを介して車体２側に連結され、またピストンロッド８Ｂの遊端は、横方向ピン２２などを介して外枠９側に連結されている。そしてシリンダー本体８Ａ内には、ピストン８Ｃによって伸展作用室８Ｄと収縮作用室８Ｅとが形成されている。
【００２０】
前記車体２側には、前記ティルトシリンダー８の伸縮作動回路３０が設けられる。すなわち、前記ティルトレバー１６により操作されるコントロールバルブ３１とティルトシリンダー８との間には、伸展作用室８Ｄに接続される伸展側回路部３２と、収縮作用室８Ｅに接続される収縮側回路部３３とが設けられている。またコントロールバルブ３１とタンク３４との間には、ポンプ３５が介在された供給回路部３６と、排出回路部３７とが設けられている。以上の３１〜３７などにより、伸縮作動回路３０の一例が構成される。
【００２１】
この伸縮作動回路３０の収縮側回路部３３には電磁式で常時開状態の開閉弁３９が設けられ、そして前記マスト６の後側傾動を検出可能な傾動検出手段４０が設けられる。また運転席５には、前記傾動検出手段４０を検出可能状態と非検出状態とに切り換える操作部５０が配設されている。
【００２２】
すなわち傾動検出手段４０は、マスト６から後方に伸びる被検出体（レベラーバー）４１と、シリンダー本体（車体側）８Ａに設けられた近接スイッチ４２とからなる。そして近接スイッチ４２は、配線４３を介して電磁式の開閉弁３９に接続されるとともに、配線４４を介してヒューズ４５やバッテリー４６に接続されている。ここで傾動検出手段４０は、ティルトシリンダー８の伸展動によりマスト６が垂直姿勢でフォーク１３が正姿勢のとき、被検出体４１は近接スイッチ４２に検出されず、またティルトシリンダー８の収縮動によりマスト６が後側に傾動してフォーク１３が後側傾動姿勢に移行しようとしたとき、被検出体４１が近接スイッチ４２に検出されるように構成されている。
【００２３】
前記操作部５０はスイッチ形式であって、配線５１を介して前記近接スイッチ４２に接続されている。ここで操作部５０の操作によって傾動検出手段４０、すなわち近接スイッチ４２を検出可能状態に切り換えたとき、前述したマスト６の後側傾動を検出することで、常時開状態の前記開閉弁３９を閉動させて収縮側回路部３３を遮断するように構成されている。また近接スイッチ４２を非検出状態に切り換えたとき、開閉弁３９を常時開状態に戻して収縮側回路部３３を連通するように構成されている。なお開閉弁３９の部分には、閉状態での排出回路４７が設けられている。
【００２４】
以下に、上記した実施の形態における作用を説明する。
フォークリフト１は、運転席５の座席１４に座った作業者が、たとえば、リフトレバーを操作しリフトシリンダー１１を作動させることで、リフトブラケット１２などを介してフォーク１３をマスト６に沿って昇降動させ得、以て所期のフォーク作業を行える。また、操作部５０の操作によって近接スイッチ４２を非検出状態に切り換え、開閉弁３９を開動させて収縮側回路部３３を連通させた状態で、ティルトレバー１６を操作し、コントロールバルブ３１を介してティルトシリンダー８を作動させることによって、マスト６を連結軸７の周りで後側傾動させ得、以てリフトブラケット１２などを介してフォーク１３の姿勢を変化させ得る。
【００２５】
そして、たとえばコンテナ（荷の一例）を貨車から荷降ろしするような荷降ろし作業時においては、まず操作部５０の操作によって近接スイッチ４２を検出可能状態に切り換える。この状態で、前進走行によってフォーク１３をコンテナの下部に差し込み（位置させ）、リフトシリンダー１１の作動などによってフォーク１３を水平状で上昇させることにより、コンテナを水平状で持ち上げ得る。このとき傾動検出手段４０は、図２の（ａ）に示すように、マスト６が垂直姿勢で後側傾動されないことから、被検出体４１は近接スイッチ４２に検出されないことになる。
【００２６】
このような荷降ろし作業時において、コンテナの下部に差し込んだフォーク１３を水平状で上昇させる（水平状で持ち上げる）際に、誤ってティルトレバー１６を操作したとき、ティルトシリンダー８の収縮動によりマスト６が後側に傾動しようとする。すると図２の（ｂ）に示すように、その後側傾動の開始時にマスト６とともに後側に移動する被検出体４１が近接スイッチ４２に対向し、検出可能状態の近接スイッチ４２が検出動する。これにより、配線４３を介して常時開状態の前記開閉弁３９を閉動させて収縮側回路部３３を遮断させ、以てティルトシリンダー８の収縮動を停止させて、マスト６がそれ以上に後側に傾動することを防止し得る。
【００２７】
すなわち、ティルトレバー１６を誤操作したとき、マスト６（フォーク１３）の後側傾動（ティルト動）を自動的に防止することになって、コンテナとともに貨車が後傾動されながら持ち上げられる（こじられる）ことがなくなり、その結果、貨車が脱線することを防止し得る。
【００２８】
上記した実施の形態では、近接スイッチ４２がシリンダー本体（車体側）８Ａに設けられた形式が示されているが、これは車体２側の他の箇所に設けられた形式などであってもよい。また近接スイッチ４２が、シリンダー本体（車体側）８Ａに対して位置調整自在に設けられた形式などであってもよい。
【００２９】
上記した実施の形態では、コンテナを貨車から降ろしする荷降ろし作業時を説明したが、これは荷積み作業時も同様に作用し得るものであり、さらに大きさや形状の異なる他の荷を取り扱う作業時も同様に作用し得るものである。
【００３０】
上記した実施の形態では、荷役車輌としてカウンタータイプのフォークリフト１が示されているが、これは大型の運搬車、サイドフォークリフトなどであっても同様に作用し得るものである。
【図面の簡単な説明】
【００３１】
【図１】本発明の実施の形態を示し、荷役車輛の側面図である。
【図２】同荷役車輛における伸縮作動回路の部分を示し、（ａ）はマストが後側傾動しないとき、（ｂ）はマストの後側傾動の開始時である。
【符号の説明】
【００３２】
１      フォークリフト（荷役車輌）
２      車体
５      運転席
６      マスト
７      連結軸
８      ティルトシリンダー
８Ａ    シリンダー本体
８Ｂ    ピストンロッド
８Ｄ    伸展作用室
８Ｅ    収縮作用室
９      外枠
１０    内枠
１１    リフトシリンダー
１２    リフトブラケット
１３    フォーク
１６    ティルトレバー
３０    伸縮作動回路
３１    コントロールバルブ
３２    伸展側回路部
３３    収縮側回路部
３６    供給回路部
３７    排出回路部
３９    開閉弁
４０    傾動検出手段
４１    被検出体
４２    近接スイッチ
５０    操作部
【図１】
2006315800.tif 000003
【図２】
2006315800.tif 000004